(57)【要約】      （修正有）【課題】ＬＥＤを使用した直管型照明灯において、蛍光管と同様の広い範囲を照射するように形成する超広角型ＬＥＤ照明管を提供する。【解決手段】プリント基板２ａに実装した発光ダイオード３を光源とする発光体２と、該発光体を内部に保持して収納する透明若しくは半透明の直管型カバー管４と、前記発光体に接続され前記発光ダイオードを駆動制御する駆動制御部とが設けて照明管を形成する。前記プリント基板２ａはその断面形状が一様な矩形状断面であって、該プリント基板の短手方向の一端側端部が前記カバー管の固定部に固定して保持されるとともに、前記プリント基板の短手方向の他端側端部の端面と長手方向に沿った表面及び裏面に前記発光ダイオード３が複数実装されてなる超広角型ＬＥＤ照明管１とするものである。【選択図】図１
0003178030.tif 000002
【実用新案登録請求の範囲】
【請求項１】
プリント基板に実装した発光ダイオードを光源とする発光体と、該発光体を内部に保持して収納する透明若しくは半透明の直管型カバー管と、前記発光体に接続され前記発光ダイオードを駆動制御する駆動制御部とが設けられてなる照明管であって、
前記プリント基板はその断面形状が一様な矩形状断面であって、該プリント基板の短手方向の一端側端部が前記カバー管の固定部に固定して保持されるとともに、前記プリント基板の短手方向の他端側端部の端面と長手方向に沿った表面及び裏面に前記発光ダイオードが複数実装されてなること、
を特徴とする超広角型ＬＥＤ照明管。
【請求項２】
プリント基板の短手方向の他端側端部の端面は、実装する発光ダイオードを一列にして配設できる幅が少なくとも確保されてなること、
を特徴とする請求項１に記載の超広角型ＬＥＤ照明管。
【請求項３】
カバー管の固定部は、発光体を該カバー管の一端側開口部から長手方向に沿って挿入・装着できるように、管内周壁面から管中心に向かって突出する凹部に形成されてなること、
を特徴とする請求項１または２に記載の超広角型ＬＥＤ照明管。
【請求項４】
カバー管の固定部は、当該カバー管に一体に成型されていること、若しくは、カバー管と別体に形成されて該カバー管に接着剤を介して固定されていること、
を特徴とする請求項４に記載の超広角型ＬＥＤ照明管。
【請求項５】
カバー管と該カバー管の両端部に設けられるキャップとのうち、いずれか若しくはいずれにも、放熱用の貫通孔が設けられていること、
を特徴とする請求項１乃至３のいずれかに記載の超広角型ＬＥＤ照明管。
【請求項６】
請求項１〜５のいずれか１項に記載の超広角型ＬＥＤ照明管を有してなること、
を特徴とする超広角型ＬＥＤ照明装置。
【考案の詳細な説明】
【技術分野】
【０００１】
本考案は、ＬＥＤ（発光ダイオード：Light  Emitting  Diode）を使用した直管型の超広角型ＬＥＤ照明管とその照明装置に関するものである。
【背景技術】
【０００２】
従来の直管型蛍光灯に代わり、ＬＥＤ照明装置は、実用化に伴いその超寿命とメンテナンスフリーを活かして、近年ますます家庭用・店舗用・街灯用・オフィス用にと利用されるようになってきている。その場合のＬＥＤの特性として指向性があることから、例えば、特許文献１に記載のように、照明範囲を横方向に広げようとするＬＥＤ照明構造や、又は、特許文献２に記載のように照射方向を望ましい方向に調整できるようにしたＬＥＤランプ、特許文献３に記載のようにＬＥＤをライン状に多数実装した２枚の基板を放熱性のよりヒートシンクに一定の角度をつけて装着したものが知られている。
【先行技術文献】
【特許文献】
【０００３】
【特許文献１】特開２０１０−１７７１４１号公報
【特許文献２】特開２０１０−１５７４５３号公報
【特許文献３】特開２００７−２８０７３９号公報
【考案の概要】
【考案が解決しようとする課題】
【０００４】
しかし、従来の蛍光管と同様の広い範囲を照射するための、上記ＬＥＤ照明装置における工夫は、基本的なＬＥＤ直管型照明装置において部品点数が増加してコストが嵩み、また、回転出来るように調整装置が必要になって構造が複雑化してその組立に工期が掛かりコストが嵩むものとなる、更に、基板が２枚あってヒートシンクに取付けるので部品点数が多くなり、組立て工数が嵩むとともに全体の重量が重くなるという課題がある。本考案に係る超広角型ＬＥＤ照明管とその照明装置は、このような課題を解決するために提案されたものである。
【課題を解決するための手段】
【０００５】
本考案に係る超広角型ＬＥＤ照明管の上記課題を解決して目的を達成するための要旨は、プリント基板に実装した発光ダイオードを光源とする発光体と、該発光体を内部に保持して収納する透明若しくは半透明の直管型カバー管と、前記発光体に接続され前記発光ダイオードを駆動制御する駆動制御部とが設けられてなる照明管であって、前記プリント基板はその断面形状が一様な矩形状断面であって、該プリント基板の短手方向の一端側端部が前記カバー管の固定部に固定して保持されるとともに、前記プリント基板の短手方向の他端側端部の端面と長手方向に沿った表面及び裏面に前記発光ダイオードが複数実装されてなることである。
【０００６】
前記プリント基板の短手方向の他端側端部の端面は、実装する発光ダイオードを一列にして配設できる幅が少なくとも確保されてなることである。
また、前記カバー管の固定部は、発光体を該カバー管の一端側開口部から長手方向に沿って挿入・装着できるように、管内周壁面から管中心に向かって突出する凹部に形成されてなることである。
更に、前記カバー管の固定部は、当該カバー管に一体に成型されていること、若しくは、カバー管と別体に形成されて該カバー管に接着剤を介して固定されていることである。
前記カバー管と該カバー管の両端部に設けられるキャップとのうち、いずれか若しくはいずれにも放熱用の貫通孔が設けられていることを含むものである。
【０００７】
本考案に係る超広角型ＬＥＤ照明装置の上記課題を解決して目的を達成するための要旨は、前記本発明に係る超広角型ＬＥＤ照明管を有してなることである。
【考案の効果】
【０００８】
本考案の超広角型ＬＥＤ照明管とその照明装置によれば、発光体が照明管周囲のほぼ３６０°に照射して、その周囲の広い範囲で照射するようになり、指向性のあるＬＥＤを使用したものであっても、照明の行き届かないところがないものである。
また、本考案に係る超広角型ＬＥＤ照明装置によれば、照明範囲が広く、従来の蛍光管と同様の範囲を照射することが出来るので、単に蛍光管と交換できるだけでなく、照明範囲も同じであって高い互換性が得られるものである。
プリント基板の短手方向の端面にも、実装する発光ダイオードを一列にして配設できる幅が少なくとも確保されるので、発光ダイオードが配設できるてＬＥＤの３面配設が可能となる。
カバー管の固定部が凹部に形成されるので、発光体のプリント基板をカバー管の端部開口部から差し込むことが出来て、組立作業が容易となるものである。
カバー管やキャップにおいて放熱用の貫通孔が設けられるので、超広角型ＬＥＤ照明管の使用においてカバー管内部の熱を外部に放散させることが出来る、など数々の優れた効果を奏するものである。
【図面の簡単な説明】
【０００９】
【図１】本考案に係る超広角型ＬＥＤ照明管１の一部を破断して示す斜視図である。
【図２】同本考案の超広角型ＬＥＤ照明管１における発光体２の一部平面図（Ａ）と、照明管１の断面図（Ｂ）とである。
【図３】本考案に係る超広角型ＬＥＤ照明装置１の側面図である。
【図４】本考案に係る超広角型ＬＥＤ照明装置１０の使用状態における一部断面図である。
【考案を実施するための形態】
【００１０】
本考案に係る超広角型ＬＥＤ照明管１は、１枚のプリント基板２ａの３面にわたり発光ダイオード３を列設させた、超広角型のＬＥＤ照明管である。
【実施例１】
【００１１】
本考案に係る超広角型ＬＥＤ照明管１は、図１に示すように、プリント基板２ａに実装した発光ダイオード３を光源とする発光体２と、該発光体２を内部に保持して収納する透明若しくは半透明で合成樹脂製若しくはガラス製の直管型カバー管４と、前記発光体２に接続され前記発光ダイオード３を駆動制御する駆動制御部（図示せず：駆動制御部の一部として極性用のダイオード５が示されている）と、管の両端部に閉蓋される合成樹脂性のキャップ６と、接続用の端子７とが設けられてなる照明管である。
【００１２】
前記プリント基板２ａは、その断面形状が一様な矩形状断面の平板体である。該プリント基板２ａの短手方向の一端側端部が、前記カバー管４の固定部４ａに固定して保持されるとともに、図２（Ａ），（Ｂ）に示すように、前記プリント基板２ａの短手方向の他端側端部の端面２ｂと長手方向に沿った表面２ｃ及び裏面２ｄとの３面に、前記発光ダイオード３が複数実装されている。
【００１３】
そして、プリント基板２ａの短手方向の他端側端部の端面２ｂは、実装する発光ダイオード３を一列にして配設できる幅ａが少なくとも確保されてなるのである。前記発光ダイオード３は、各プリント基板２ａ上の一列ごとに、直流電源の回路に対して並設に接続されている。また、前記プリント基板２ａの短手方向（図で上下方向）の長さは、図２（Ｂ）に示すように、カバー管４の内周壁面から該カバー管４の中心位置程度までの長さである。
【００１４】
前記発光ダイオード３は、その形状が細長いものであれば、図示したように、超広角型ＬＥＤ照明管１及びプリント基板２ａの長手方向に沿って発光ダイオード３の長手方向を平行に配置する。また、プリント基板２ａの表面２ｃと裏面２ｄとにおいては、発光ダイオード３を２列にそれぞれ配置しても良いし、千鳥配置にしてもよい。それにより照射量も増えて、照射範囲も増えるようになる。
【００１５】
図１に示すように、前記ダイオード５が発光体２の両端部に設けられ電気的に接続されているので、この超広角型ＬＥＤ照明管１を図４に示す照明装置１０のランプケットに方向性無く取付けることができる。
【００１６】
前記カバー管４の固定部４ａは、図２（Ｂ）に示すように、発光体２を該カバー管４の開口している筒体の一端側開口部から長手方向に沿って挿入・装着できるように、管内周壁面から管中心に向かって突出する凹部に形成されてなる。この固定部４ａは、カバー管４と一体成型するか、若しくは、別体で凹部を形成してそれをカバー管４の内周壁面に挿着して接着剤等で固定するものである。一体成型すれば、部品点数が減少し保管が容易で組立て工数が低減される。
【００１７】
前記カバー管４と該カバー管４の両端部に設けられるキャップ６とのうち、いずれか若しくはいずれにも、例えば、図３に示すように、放熱用の貫通孔６ａが使用状態において上部となる位置に設けられている。
【００１８】
このようにして形成される超広角型ＬＥＤ照明管１により、図４に示すように、超広角型ＬＥＤ照明装置１０として使用すれば、超広角型ＬＥＤ照明管１のほぼ全周（照射角度θ＝約３５０°）に亘る範囲で照射され、更に、超広角型ＬＥＤ照明装置１０の反射板９により照射光が反射されて、超広角型ＬＥＤ照明装置１０の周囲を広く明るく照射するものである。
【産業上の利用可能性】
【００１９】
本考案に係る超広角型ＬＥＤ照明管とその装置は、既存の直管型蛍光灯に替わって広く適用できるものである。
【符号の説明】
【００２０】
１          超広角型ＬＥＤ照明管、
２          発光体、                      ２ａ      プリント基板、
２ｂ        他端側端部の端面、            ２ｃ      表面、
２ｄ        裏面、
３          発光ダイオード（ＬＥＤ）、
４          カバー管、                    ４ａ      固定部（凹部）、
５          ダイオード、
６          キャップ、                    ６ａ      貫通孔、  
７          端子、
８          天井、
９          反射板、
１０        超広角型ＬＥＤ照明装置。
【図１】
0003178030.tif 000003
【図２】
0003178030.tif 000004
【図３】
0003178030.tif 000005
【図４】
0003178030.tif 000006
【手続補正書】
【提出日】平成24年6月21日(2012.6.21)
【手続補正１】
【補正対象書類名】実用新案登録請求の範囲
【補正対象項目名】全文
【補正方法】変更
【補正の内容】
【実用新案登録請求の範囲】
【請求項１】
プリント基板に実装した発光ダイオードを光源とする発光体と、該発光体を内部に保持して収納する透明若しくは半透明の直管型カバー管と、前記発光体に接続され前記発光ダイオードを駆動制御する駆動制御部とが設けられてなる照明管であって、
前記プリント基板はその断面形状が一様な矩形状断面であって、該プリント基板の短手方向の一端側端部が前記カバー管の固定部に固定して保持されるとともに、前記プリント基板の短手方向の他端側端部の端面と長手方向に沿った表面及び裏面に前記発光ダイオードが複数実装されてなること、
を特徴とする超広角型ＬＥＤ照明管。
【請求項２】
プリント基板の短手方向の他端側端部の端面は、実装する発光ダイオードを一列にして配設できる幅が少なくとも確保されてなること、
を特徴とする請求項１に記載の超広角型ＬＥＤ照明管。
【請求項３】
カバー管の固定部は、発光体を該カバー管の一端側開口部から長手方向に沿って挿入・装着できるように、管内周壁面から管中心に向かって突出する凹部に形成されてなること、
を特徴とする請求項１または２に記載の超広角型ＬＥＤ照明管。
【請求項４】
カバー管の固定部は、当該カバー管に一体に成型されていること、若しくは、カバー管と別体に形成されて該カバー管に接着剤を介して固定されていること、
を特徴とする請求項３に記載の超広角型ＬＥＤ照明管。
【請求項５】
カバー管と該カバー管の両端部に設けられるキャップとのうち、いずれか若しくはいずれにも、放熱用の貫通孔が設けられていること、
を特徴とする請求項１乃至３のいずれか１項に記載の超広角型ＬＥＤ照明管。
【請求項６】
請求項１〜５のいずれか１項に記載の超広角型ＬＥＤ照明管を有してなること、
を特徴とする超広角型ＬＥＤ照明装置。